(57)【要約】【課題】  クリップ状の端子金具を主幹バーから引き抜く際に端子金具の取付箇所が破損する虞れの無い相切替ができるプラグイン端子金具を備えたプラグイン端子装置を提供する。【解決手段】  ネジ式ブレーカ２をプラグイン式ブレーカに変換するアダプタ又はプラグイン式ブレーカに設けた盤面に対して垂直方向に段積みした主幹バーに盤面に対して水平方向から接続するプラグイン端子装置３において、該プラグイン端子装置３はプラグイン端子取付部材３１に取り付けて上下方向の相切替えできるプラグイン端子金具３２を備えたものとしたうえ、該プラグイン端子金具３２が相切替え位置にある時に閉じることのできるカバー５を設け、また、該カバー５にプラグイン端子取付部材３１及びプラグイン端子金具３２を前方に移動することを規制するストッパを設ける。【選択図】  図１
2006331986.tif 000002
【特許請求の範囲】
【請求項１】
ネジ式ブレーカをプラグイン式ブレーカに変換するアダプタ又はプラグイン式ブレーカに設けた盤面に対して垂直方向に段積みした主幹バーに盤面に対して水平方向から接続するプラグイン端子装置において、該プラグイン端子装置はプラグイン端子取付部材に取り付けて上下方向の相切替えできるプラグイン端子金具を備えたものとしたうえ、該プラグイン端子金具が相切替え位置にある時に閉じることのできるカバーを設け、また、該カバーにプラグイン端子取付部材及びプラグイン端子金具を前方に移動することを規制するストッパを設けたことを特徴とするプラグイン端子装置。
【請求項２】
カバーの開閉を上下回動式とした請求項１に記載のプラグイン端子装置。
【請求項３】
カバーを透明材よりなるものとした請求項１又は２に記載のプラグイン端子装置。
【発明の詳細な説明】
【技術分野】
【０００１】
本発明は、ネジ式ブレーカをプラグイン式ブレーカに変換するアダプタ又はプラグイン式ブレーカに設けた、相切替ができるプラグイン端子金具を備えたプラグイン端子装置に関するものである。
【背景技術】
【０００２】
従来の相切替ができるプラグイン端子金具を備えたプラグイン端子装置としては、例えば、本出願人が先に提案した特開２００２−１９９５１４（特許文献１）にあるように、端子金具を着脱自在にして位置変更可能に取り付けたり、回動自在に上下方向位置を変更できるものや、特開２００３−７１８９（特許文献２）のように、移動可能な端子金具をカバーを開くことにより位置変更できるものとして、端子金具が定位置に納まる状態でカバーを閉じることができるものがある。
【０００３】
しかしながら、これら従来のプラグイン端子装置は、上下に段積みした主幹バーに横方向からプラグイン端子装置をスライドさせてクリップ状の端子金具を挟持して接続し、また、取り外す場合にはプラグイン端子装置を逆方向にスライドさせて端子金具の主幹バーへの挟持下に引き抜いて解除するものである。そのため、接続時には端子金具を取付箇所方向に押圧するので問題がないが、解除には主幹バーを挟持している端子金具を引き抜くため、端子金具の取付箇所に強い引っ張り荷重がかかり、取付箇所を回動自在としていることから強固な固定がなされておらず、取付箇所が破損する虞がある。
【特許文献１】特開２００２−１９９５１４公報
【特許文献２】特開２００３−７１８９公報
【発明の開示】
【発明が解決しようとする課題】
【０００４】
本発明は前記のような問題点を解決して、クリップ状の端子金具を主幹バーから引き抜く際に端子金具の取付箇所が破損する虞れの無い相切替ができるプラグイン端子金具を備えたプラグイン端子装置を提供することである。
【課題を解決するための手段】
【０００５】
本発明のプラグイン端子装置は、ネジ式ブレーカをプラグイン式ブレーカに変換するアダプタ又はプラグイン式ブレーカに設けた盤面に対して垂直方向に段積みした主幹バーに盤面に対して水平方向から接続するプラグイン端子装置において、該プラグイン端子装置はプラグイン端子取付部材に取り付けて上下方向の相切替えできるプラグイン端子金具を備えたものとしたうえ、該プラグイン端子金具が相切替え位置にある時に閉じることのできるカバーを設け、また、該カバーにプラグイン端子取付部材及びプラグイン端子金具を前方に移動することを規制するストッパを設けたことを特徴とするものを請求項１に係る発明とする。そして、この請求項１に係る発明において、カバーの開閉を上下回動式としたものを請求項２に係る発明とする。また、これら請求項１、２に記載に係る発明において、カバーを透明材よりなるものとしたものを請求項３に係る発明とする。
【発明の効果】
【０００６】
請求項１に係る発明は、プラグイン端子取付部材に取り付けて上下方向の相切替えできるプラグイン端子金具を備えており、該プラグイン端子金具が相切替え位置にある時に閉じることのできるカバーを設け、該カバーにプラグイン端子取付部材及びプラグイン端子金具を前方移動を規制するストッパを設けたものであるので、上下に段積みした主幹バーに横方向から挟持した端子金具を該主幹バーから取り外す際に、端子金具が主幹バーに強固に挟持されて強い引っ張り荷重を掛ける必要がある場合においても、プラグイン端子取付部材及びプラグイン端子金具がカバーに設けたストッパにより前方移動を規制されているので、該プラグイン端子取付部材及びプラグイン端子金具の取付箇所のみに力が加わることがなく、ストッパを介してカバーにも力が分散されるので、プラグイン端子取付部材及びプラグイン端子金具が破損したり変形する虞の無いものである。
【０００７】
また、請求項２に係る発明は、前記カバーの開閉を上下回動式としたので、カバーの両側板部の回動軌跡上にプラグイン端子金具の先端が位置しないので、ストッパをプラグイン端子取付部材及びプラグイン端子金具の各両側に臨む位置に設置することができ、プラグイン端子取付部材及び相切替プラグイン端子金具を前方移動を強固に規制できるものである。また、カバーの両側板部の回動軌跡上にプラグイン端子金具の先端が位置しないことによりプラグイン端子金具のサイズを前方方向において小さくする必要もないので、的確な挟持力を持ち主幹バーとの接触面を広くとることのできるサイズのものを採用できるものである。
【０００８】
さらに、請求項３に係る発明は、カバーを透明材よりなるものとしたものであるから、切り替えた相や電圧の表示がカバーを介して視認できるものであり、また、切り替えたプラグイン端子金具がどの相の主幹バーに接続されているかを確認できる。
【発明を実施するための最良の形態】
【０００９】
次に、本発明の好ましい３つの実施の形態を説明する。
【００１０】
〔第１の実施形態〕
先ず、第１の実施形態を図１〜図１８に示す協約型の２Ｐ用のネジ式ブレーカをプラグインブレーカに変換するプラグインアダプタに設けたプラグイン端子装置により説明する。
図１において、１はネジ式ブレーカ２をプラグインブレーカに変換するアダプタである。このアダプタ１は、ネジ式ブレーカ２のネジ端子２１、２１を図１８に示す分電盤の盤面に対して垂直方向に段積みした主幹バー１００に盤面に対して水平方向から接続できるプラグイン端子に変換するプラグイン端子装置３と、ネジ式ブレーカ２を搭載して盤面に添って取り付ける、図１１、図１２に示すような機器取付板１１０に前記主幹バー１００に対して進退自在に水平に移動して着脱できるスライド規制取付板部４とを一体に形成して設けたものである。
【００１１】
前記プラグイン端子装置３は、回転式のプラグイン端子取付部材３１に取り付けて上下方向の相切替えできるクリップ状のプラグイン端子金具３２を備えたうえ、該プラグイン端子金具３２が相切替え位置にある時に閉じることのできるカバー５を設け、また、該カバー５にプラグイン端子取付部材３１及びプラグイン端子金具３２を前方移動を規制するストッパ５ａ、５ｂを設けている。ここで相切替え位置とは、言い換えればプラグイン金具３２が主幹バー１００に接続できる定位置にある状態を示しているものであり、プラグイン端子金具３２が相切替え位置にない状態、つまり、回転移動の途中ではカバー５が閉じることのできないようになっている。また、前方移動とはプラグイン端子装置に対しての回転式のプラグイン端子取付部材３１及びプラグイン端子金具３２の動きを表したもので、言い換えれば取付箇所の破損となるようなプラグイン端子金具３２が主幹バー１００からの引き抜く状態を示している。なお、この実施形態のものにあっては、ネジ式ブレーカ２の２個のネジ端子２１、２１に対応する２個のプラグイン端子金具３２、３２を相切替えできるものとして、それぞれプラグイン端子取付部材３１に取り付けている。このカバー５は手などが触れる感電の防止や隣り合うアダプタやブレーカ等の絶縁距離を確保するものである。
【００１２】
また、プラグイン端子金具３２はスライド規制取付板部４に装着する２Ｐ用のネジ式ブレーカ２の電源側となるネジ端子２１、２１と電気的に接続する手段を設けている。すなわち、図４に示すようにプラグホルダー部３０を上下に分割できるものとして分割端面間の後方側に２個のネジ端子２１、２１に対応した接続金具１３、１３を挟み込み、また、プラグイン端子金具３２を取り付けるための分割端面間の前側に軸孔部を形成してプラグイン端子取付部材３１が１８０度回動できるように軸支して相切り替えできるものとして、前記接続金具１３の基端に形成した垂直片部１３ａとプラグイン端子金具３２が電線等で電気的に接続されており、プラグイン端子金具３２が１８０度回動しても接続を維持できるように組込んでいる。
【００１３】
これにより、前記プラグ端子装置３は、プラグホルダー部３０に保持させた２個のプラグイン端子取付部材３１に取り付けたプラグイン端子金具３２の一方のプラグイン端子金具３２ａを上下にＬ１相、Ｎ相、Ｌ２相と絶縁を確保して段積した主幹バー１００のうちＮ相とＬ１相、Ｌ２相のどちらか一方と相切り替えできる構成とし、他方のプラグイン端子金具３２ｂを、Ｌ１相とＬ２相に相切り替え可能と構成して、１００Ｖ及び２００Ｖの配線と相バランスのとれた配線を行うことができるものとしている。
【００１４】
そして、相切り替え可能としたプラグ端子金具３２に相や電圧の表示を設けている。すなわち、電圧表示としては、図１６（Ａ）に示すものは１００Ｖ配線の場合には一方のプラグイン端子金具３２ａを中央のＮ相と、他方のプラグイン端子金具３２ｂをＬ１相、Ｌ２相のどちらかに接続するように切り替えて、一方のプラグイン端子金具３２ａが上方から見える位置を無表示としてこの無表示であることを視認して１００Ｖ配線を確認する手段とし、図１６（Ｂ）に示すものは２００Ｖ配線の場合には一方のプラグイン端子金具３２ａをＮ相からＬ１相、Ｌ２相のどちらか一方に接続して該一方のプラグイン端子金具４２ａが上方から見える位置に２００Ｖ表示をするものとしている。なお、電圧表示の代わりに相表示してもよいことは勿論である。また、前記プラグイン端子金具３２の相切り替え可能とする手段は、図１から図２に示すようにプラグ端子金具３２をプラグホルダー部３０に対して上下方向に１８０度回動できるように取り付けたものである。
【００１５】
また、前記カバー５は、図６、図７に示すように前面板５１と両側板部５２、５２と中央隔壁板部５３に前記Ｌ１相、Ｎ相、Ｌ２相の各主幹バー１００が介入して前記相切り替え可能としたプラグイン端子金具３２が臨む切込み横孔５４を上下に３個を設けて、前記プラグイン端子取付部材３１が両側板部５２、５２と中央隔壁板部５３との間に位置してプラグイン端子金具３２が相切替え位置にある時に閉じることのできるものとしている。さらに、該カバー５の両側板部５２、５２と中央隔壁板部５３の内面にはプラグイン端子取付部材３１を前方移動を規制するストッパ５ｂ及びプラグイン端子金具３２を前方移動を規制するストッパ５ａを突設させて設けている。なお、前記中央隔壁板部５３の基端にはプラグホルダー部３０に設けた中央隔壁板３０ａが嵌合できる縦溝５３ａが設けてある。
【００１６】
このように、プラグイン端子金具３２が相切替え位置にある時に閉じることのできるカバー５を設けているので、相切替えが不完全な状態のものを間違って主幹バーに装着する虞の無いものである。また、該カバー５にプラグイン端子取付部材３１及びプラグイン端子金具３２を前方に移動することを規制するストッパ５ａ、５ｂを設けたので、クリップ状のプラグイン端子金具３２を主幹バーから取り外す際に強い引っ張り荷重が掛っても、プラグイン端子取付部材３１及びプラグイン端子金具３２の取付箇所のみに力が加わることがなく、ストッパ５ａ、５ｂを介してカバー５に力が分散されるのでプラグイン端子取付部材３１及びプラグイン端子金具３２の取付箇所が破損したり変形する虞の無いものである。
【００１７】
また、該カバー５は、前記プラグホルダー部３０の上端両側にヒンジ接続して該ヒンジを支点に上下回動式に開閉できるものとしている。左右回動式のカバーでは回動の際に、プラグイン端子金具３２が邪魔になってしまうが上下回動式のカバーとすることにより、カバーの両側板部５２、５２の回動軌跡上にプラグイン端子金具３２の先端が位置しないので、ストッパをプラグイン端子取付部材３１及びプラグイン端子金具３２の各両側に臨む位置に設置することでき、プラグイン端子取付部材３１及びプラグイン端子金具３２を前方移動を強固に規制できるものである。
【００１８】
また、カバー５の両側板部５２、５２の回動軌跡上にプラグイン端子金具３２の先端が位置しないことによりプラグイン端子金具３２の前後方向のサイズを小さくする必要もないので、的確な挟持力をもつサイズのクリップ状のプラグイン端子金具３２を採用することができる。なお、カバー５はその下端を係止手段５５によりプラグイン端子金具３２を主幹バーから取り外す際に開くことなく、ストッパ５ａ、５ｂがプラグイン端子取付部材３１及びプラグイン端子金具３２を前方に移動することを規制するものとしているのは勿論である。また、この端子カバー５は開状時においてプラグイン端子金具３２の相切り替えを行うものであるから、開状時に端子カバー５が自重により閉じることのないように開状保持手段を設けてある。さらに、カバー５は透明材よりなるものとしている。これにより、切り替えた相や電圧の表示がカバーを介して視認できるものであり、切り替えたプラグイン端子金具がどの相の主幹バーに接続されているかを確認できるものである。なお、この実施形態では、カバー５のヒンジの支点を上部の設けたものを説明したが、カバー５の下部にヒンジの支点を設け、上部に係止手段を設けた上下回動式としたものでよい。
【００１９】
また、前記アダプタ１は、図３に示すとおりプラグイン端子装置３とスライド規制取付板部４とを一体としたものであるから、スライド規制取付板部４に２Ｐ用のネジ式ブレーカ２を搭載することによりプラグ端子装置３も同時にネジ式ブレーカ２に装着されることとなり、プラグ端子装置３部分のみを２Ｐ用のネジ式ブレーカ２に取付保持するための手段が不要で部品点数が少なくなり在庫管理が容易なものである。
【００２０】
また、前記スライド規制取付板部４は、適度な強度と弾性を備えた合成樹脂材よりなる薄板状の取付板本体４１の前後端の上方に係止爪４２、４３を設けてある。これにより、薄板状の取付板本体４１をその弾性により下方に向け湾曲するように撓ませると前後の係止爪４２、４３の間が開拡するので、図１０に示すように前記ネジ式ブレーカ２を取付板本体４１に上方から挿入できる状態となるので該取付板本体４１に載置した後にて撓みを解除することにより、前後の係止爪４２、４３がネジ式ブレーカ２の前後端面下方に設けた係止凹部２２、２２に係合して、取付板本体４１に付与した弾性によりネジ式ブレーカ２を取り付け、そして、プラグイン端子装置３の接続金具１３、１３をネジ式ブレーカ２のネジ端子２１、２１に螺合すれば取付完了となり強固に固定される。このように取付板本体４１に付与した弾性によりネジ式ブレーカ２を取り付けたものであるから前後の係止爪４２、４３自体に弾性を持たせることを不要とするものである。なお、適度な強度と弾性を備えた合成樹脂材としては、ポリフェニレンエーテル樹脂が好ましいが、これに限定されることなくポリアミド樹脂、ポリカーボネイト樹脂、ポリエチレン樹脂等であってもよい。さらに、撓み易くするため薄板状の取付板本体４１に抜け孔４４を設けることがより好ましい。
【００２１】
ネジ式ブレーカ２を搭載したスライド規制取付板部４の機器取付板１１０への取り付けは、スライド規制取付板部４の薄板状の取付板本体４１の下面に突設した前後の左右の取付突起４５、４５を機器取付板１１０に設けた平行に隣り合う取付孔１１１、１１１の主幹バー１００に向かって後方の拡大孔部１１１ａ、１１１ａから挿入して前方にスライドさせて前方の小径孔部１１１ｂ、１１１ｂの孔縁に形成したレール部１１２、１１２に該取付突起４５、４５に内向きに設けた鉤部４５ａ、４５ａを係止させることにより行う。また、スライド規制取付板部４の後方へのスライド規制はスライド規制取付板部４の後端に一体に形成した抜け止め用係止部４６を機器取付板１１０に設けた係止孔１１３の後方孔縁１１３ａに該抜け止め用係止部４６に付与した撓みを利用して係合するので、ネジ式ブレーカ２を搭載したスライド規制取付板部４を盤面に添って取り付けた機器取付板１１０に前記主幹バー１００に対して進退自在に水平に移動して着脱できるものである。
【００２２】
なお、前記抜け止め用係止部４６は、図１３、図１４、図１５に示すようにスライド規制取付板部４の後端に連設した張出部４７に上下方向に貫通させた枠孔部４８の後部孔辺４８ａに連結部４９により撓み可能に一体に連設した操作片４６ａの前方に連設した平板部４６ｂの先端下方に鉤部４６ｃ付の係止片４６ｄを設けたものとしている。そして、スライド規制取付板部４が前方にスライドさせる前である係止片４６ｄの鉤部４６ｃが前記機器取付板１１０に設けた係止孔１１３に係合しない機器取付板１１０の上面に位置する状態にあっては、図１３に示すように操作片４６ａと後枠板部４８ａとの間の連結部４９の撓みにより抜け止め用係止部４６のみを上方に押し上げるだけであるから、２Ｐ用のネジ式ブレーカ２を装着したスライド規制取付板部４が傾くことなく水平にスライドさせてプラグイン端子装置３を主幹バー１００に装着できるものである。
【００２３】
また、ネジ式ブレーカ２を装着したアダプタ１を機器取付板４から取り外すには、前記操作片４６ａの上端を後側に押圧すなわち後方に引けば図１４に示すよう係止片４６ｄの鉤部４６ｃが前記機器取付板１１０に設けた係止孔１１３から外れるので、ネジ式ブレーカ２を装着したアダプタ１を後方にスライドさせれば、プラグイン端子装置３が主幹バー１００から外れるとともに、取付板本体４１の下面に突設した前後の左右の取付突起４５、４５の鉤部４５ａ、４５ａがレール部１１２、１１２との係合が解かれるとともに取付突起４５、４５を上方に抜け出すことのできる取付孔１１１、１１１の後方の拡大孔部１１１ａ、１１１ａに位置するので機器取付板１１０から容易に取り外しができるものである。このようなものでは、操作片４６ａを後方に引いて係止を外す動作と、アダプタ１を後方にスライドさせてプラグイン端子装置３を主幹バー１００から外す動作が一連のものとなり取り外しの作業性がよいものである。
【００２４】
さらに、前記プラグ端子装置３のプラグホルダー３０の上部両側後方に切り取り自在とした側隔壁３０ｂを設け、該側隔壁１１ａを搭載したネジ式ブレーカ２の上部の切欠部２ａに嵌合する形状としてネジ式ブレーカ２の端子部の絶縁を向上させるものとしている。なお、側隔壁３０ｂは前記したとおり、切り取り自在としたものであるので、該側隔壁３０ｂが嵌合できない形状のネジ式ブレーカ２を搭載した場合には図１７に示すように側隔壁３０ｂを切り取ることにより対応できるものである。
【００２５】
〔第２の実施形態〕
次に、第２の実施形態を図１９から図２１に示す２Ｐ用のネジ式ブレーカをプラグインブレーカに変換するプラグインアダプタに設けたプラグイン端子装置により説明する。
この第２の実施形態は前記第１の実施形態と異なり、プラグ端子装置３に設けた２個のプラグイン端子金具３２のうち一方をプラグイン端子取付部材３１に取り付けて相切替できるものとし、他方のプラグイン端子金具３２を固定して取り付けて相切替できないものとして、一方のプラグイン端子金具３２ａを上下のＬ１相、Ｌ２相のどちらか一方と相切り替えできる構成とし、他方のプラグイン端子金具３２ｂを固定して中央のＮ相用と構成して、一種類の２Ｐ用のネジ式ブレーカを相切替して、Ｌ１相とＬ２相に振り分けて相バランスのとれた１００Ｖの配線を行うことができるものとしている。
【００２６】
その他のプラグ端子装置３の構成は前記第１の実施形態と同様であり、また、カバー５も前記第１の実施形態と同様の構成であるので第１の実施形態の説明を援用する。なお、スライド規制取付板部４は基本構成は第１の実施形態と同様であるが、スライド規制取付板部４の後方へのスライド規制はスライド規制取付板部４の後端に一体に形成した抜け止め用係止部４６が相違するので、この相違点を説明する。該抜け止め用係止部４６は、図２０、図２１、に示すようにスライド規制取付板部４の後端に連設した張出部４７に上下方向に貫通させた孔部から常時突出する方向に付勢している係止片４６ｅを一体に連設した操作片４６ａを操作して、係止片４６ｄを機器取付板１１０に設けた係止孔に係脱させてスライド規制及び解除するものとしている。
【００２７】
〔第３の実施形態〕
続いて、第３の実施形態を図２２及び図２３により説明する。前記の２の実施形態は、２Ｐ用のネジ式ブレーカをプラグインブレーカに変換するプラグインアダプタに設けたプラグイン端子装置に関するものであるが、この実施形態はプラグイン式ブレーカに直接前記のようなプラグイン端子装置を設けたものである。
【００２８】
すなわち、図２２に示すものは、プラグインブレーカ６の電源側に設けたプラグ端子装置３を、プラグインブレーカ６の電源側壁部をプラグホルダー部３０に形成して、該プラグホルダー部３０に前記第１の実施形態と同様に、２個のプラグイン端子金具３２の双方を相切替できるものとしている。
【００２９】
そして、この相切替えする２個のプラグイン端子金具３２は、前記第１の実施形態と同様に、相切替え位置にある時に閉じることのできるカバー５に設けたストッパ５ａ、５ｂによりプラグイン端子取付部材３１及びプラグイン端子金具３２の前方移動を規制されている。その他はアダプタ１に搭載されていない構成を除き同様の構成であるから第１の実施形態の説明を援用する。
【００３０】
図２３に示すものは、図２２と異なり第２の実施形態と同様に２個のプラグイン端子金具３２のうち一方をプラグイン端子取付部材３１に取り付けて相切替できるものとし、他方のプラグイン端子金具３２を固定して取り付けて相切替できないものとしたものであり、他の構成は図２２と同様にその他はアダプタ１に搭載されていない構成を除き同様の構成であるから第１の実施形態の説明を援用する。
【００３１】
なお、この図２２、図２３に示すプラグイン式ブレーカ６のプラグイン端子装置３を垂直方向に段積みした主幹バーに盤面に対して水平方向から装着する手段として、このようなプラグイン式ブレーカ６を前記第１、第２の実施形態のアダプタ１を構成するスライド規制取付板部４と同様なスライド規制取付板に搭載して機器取付板１１０へスライドして取り付けできるものとしてもよく、また、プラグイン式ブレーカ６の底面にスライド規制取付板部４と同様な機能を有するものを一体として設けたものでもよい。
【図面の簡単な説明】
【００３２】
【図１】第１の実施形態のネジ式ブレーカをアダプタに搭載したカバーを開状態として示す斜視図。
【図２】第１の実施形態のネジ式ブレーカをアダプタに搭載したカバーを開状態として相切替えて示す斜視図。
【図３】第１の実施形態のアダプタとネジ式ブレーカを示す斜視図。
【図４】第１の実施形態のアダプタを示す分解斜視図。
【図５】第１の実施形態のネジ式ブレーカをアダプタに搭載したカバーを閉状態として示す斜視図。
【図６】カバーの斜視図。
【図７】カバーの背面図。
【図８】第１の実施形態のネジ式ブレーカをアダプタに搭載したカバーを閉状態として示す下方からの斜視図。
【図９】ストッパとプラグイン端子金具の関係を示す概略側面図。
【図１０】第１の実施形態のアダプタにネジ式ブレーカを搭載する工程を示す斜視図。
【図１１】第１の実施形態のスライド規制取付板部を機器取付板に取り付ける工程を示す斜視図。
【図１２】第１の実施形態のスライド規制取付板部を機器取付板に取り付けた状態を示す斜視図。
【図１３】抜け止め用係止部が機器取付板の係止孔に係止する前の状態を示す概略側断面図。
【図１４】抜け止め用係止部が機器取付板の係止孔に係止した状態を示す概略側断面図。
【図１５】抜け止め用係止部が機器取付板の係止孔との係止を解除する状態を示す概略側断面図。
【図１６】電圧表示を示す図であり、（Ａ）は１００Ｖ配線状態、（Ｂ）は２００Ｖ配線状態を示す平面図。
【図１７】側隔壁を切り取って種々のネジ式ブレーカに対応できる状態を示す斜視図。
【図１８】分電盤に使用した状態を示す斜視図。
【図１９】第２の実施形態を示す斜視図。
【図２０】第２の実施形態を態様を異にして示す斜視図。
【図２１】第２の実施形態を態様を異にして示す斜視図。
【図２２】第３の実施形態を示す斜視図。
【図２３】第３の実施形態の他例を示す斜視図。
【符号の説明】
【００３３】
１  アダプタ
３  プラグイン端子装置
31  プラグイン端子取付部材
32  プラグイン端子金具
５  カバー
5a  ストッパ
5b  ストッパ
【図１】
2006331986.tif 000003
【図２】
2006331986.tif 000004
【図３】
2006331986.tif 000005
【図４】
2006331986.tif 000006
【図５】
2006331986.tif 000007
【図６】
2006331986.tif 000008
【図７】
2006331986.tif 000009
【図８】
2006331986.tif 000010
【図９】
2006331986.tif 000011
【図１０】
2006331986.tif 000012
【図１１】
2006331986.tif 000013
【図１２】
2006331986.tif 000014
【図１３】
2006331986.tif 000015
【図１４】
2006331986.tif 000016
【図１５】
2006331986.tif 000017
【図１６】
2006331986.tif 000018
【図１７】
2006331986.tif 000019
【図１８】
2006331986.tif 000020
【図１９】
2006331986.tif 000021
【図２０】
2006331986.tif 000022
【図２１】
2006331986.tif 000023
【図２２】
2006331986.tif 000024
【図２３】
2006331986.tif 000025